(57)【要約】【課題】本発明は、中空で任意形状の直方体となる本体内部に、冷媒を高圧圧縮する圧縮装置と、液化瓦斯触媒に変換するコンデンサーを設け、製氷水槽に着水する冷却棒に液化瓦斯触媒を流通し、冷却棒が着水冷却を行って冷却棒の周壁が氷結し、その製氷完成によって電磁弁が作動し、コンデンサーの熱媒を冷却棒に適時流通し、冷却棒の周壁が解氷温度となって、氷を製氷フラッパーに落下させ、製氷フラッパーが駆動し前部の製氷トレイに氷を移送する製氷機を得る。【解決手段】  本体が中空で任意形状の直方体となり、その内部に冷媒を高圧圧縮する圧縮装置と、液化瓦斯触媒に変換するコンデンサーを設け、製氷水槽に着水する冷却棒に液化瓦斯触媒を流通し、冷却棒が着水冷却を行って冷却棒の周壁が氷結し、その製氷完成によって電磁弁が作動し、コンデンサーの熱媒を冷却棒に適時流通し、冷却棒の周壁が解氷温度となって、氷を製氷フラッパーに落下させ、製氷フラッパーが駆動し前部の製氷トレイに氷を移送する。【選択図】  図１
2005315551.tif 000002
【特許請求の範囲】
【請求項１】
本体が中空で任意形状の直方体となり、その内部に冷媒を高圧圧縮する圧縮装置と、液化瓦斯触媒に変換するコンデンサーを設け、製氷水槽に着水する冷却棒に液化瓦斯触媒を流通し、冷却棒が着水冷却を行って冷却棒の周壁が氷結し、その製氷完成によって電磁弁が作動し、コンデンサーの熱媒を冷却棒に適時流通し、冷却棒の周壁が解氷温度となって、氷を製氷フラッパーに落下させ、製氷フラッパーが駆動し前部の製氷トレイに氷を移送することを特徴とする製氷機。
【請求項２】
前記冷媒を高圧圧縮する圧縮装置と、液化瓦斯触媒に変換するコンデンサーを設けた圧縮式冷凍システムが、アンモニヤ水溶液を瓦斯又はヒーターによる入熱で行う吸収式冷凍システムになる請求項１記載の製氷機。
【請求項３】
前記冷却棒が円筒形状で任意数を設け、上部の流通管と一体となって櫛歯状となり、その流通管の一辺が平面を形成して冷却棒への熱伝導を高められる請求項１記載の製氷機。
【請求項４】
前記製氷水槽と製氷フラッパーが連結して前後に作動し、製氷時には製氷水槽が前部に移動し、貯水漕より給水されて冷却棒が着水し、製氷完成時には後上部に移動して水切りを行って収納され、製氷フラッパーが冷却棒の下部に移動となる請求項１、２記載の製氷機。
【請求項５】
前記貯水漕の水の減量と、製氷トレイの氷の増量を感知センサーによる製氷稼動自動停止機能を設けた請求項１、４記載の製氷機。
【発明の詳細な説明】
【技術分野】
【０００１】    この発明は、冷却棒の周壁で製氷する製氷機に関する。
【背景技術】
【０００２】    従来、製氷機においては、業務用で角型の氷が出来るものがあった。
【発明の開示】
【発明が解決しようとする課題】
【０００３】    従来の製氷機では角型の氷が出来るものがあるが、構造が複雑になるため小型化でき難い問題があった。【０００４】    本発明は、中空で任意形状の直方体となる本体内部に、冷媒を高圧圧縮する圧縮装置と、液化瓦斯触媒に変換するコンデンサーを設け、製氷水槽に着水する冷却棒に液化瓦斯触媒を流通し、冷却棒が着水冷却を行って冷却棒の周壁が氷結し、その製氷完成によって電磁弁が作動し、コンデンサーの熱媒を冷却棒に適時流通し、冷却棒の周壁が解氷温度となって、氷を製氷フラッパーに落下させ、製氷フラッパーが駆動し前部の製氷トレイに氷を移送する製氷機の提供を目的とするものである。
【課題を解決するための手段】
【０００５】    前記の課題を達成するため、冷媒を高圧圧縮する圧縮装置と、液化瓦斯触媒に変換するコンデンサーを設け、製氷水槽に着水する冷却棒に液化瓦斯触媒を流通し、冷却棒が着水冷却を行って冷却棒の周壁が氷結し、その製氷完成によって電磁弁が作動し、コンデンサーの熱媒を冷却棒に適時流通し、冷却棒の周壁が解氷温度となって、氷を製氷フラッパーに落下させ、製氷フラッパーが駆動し前部の製氷トレイに氷を移送する手段を講ずる。【０００６】    また、冷媒を高圧圧縮する圧縮装置と、液化瓦斯触媒に変換するコンデンサーを設けた圧縮式冷凍システムが、アンモニヤ水溶液を瓦斯又はヒーターによる入熱で行う吸収式冷凍システムとになってもよい。【０００７】    また、冷却棒が円筒形状で任意数を設け、上部の流通管と一体となって櫛歯状となり、その流通管の一辺が平面を形成して冷却棒への熱伝導を高められるようにしてもよい。【０００８】    そして、製氷水槽と製氷フラッパーが連結して前後に作動し、製氷時には製氷水槽が前部に移動し、貯水漕より給水されて冷却棒が着水し、製氷完成時には後上部に移動して水切りを行って収納され、製氷フラッパーが冷却棒の下部に移動できることが好ましい。【０００９】    さらに、貯水漕の水の減量と、製氷トレイの氷の増量を感知センサーによる製氷稼動自動停止機能を設けてもよい。
【発明の効果】
【００１０】    本発明の製氷機では、従来、主に業務用に作られ、サイズは大きく機械コストも高いものであった製氷機を、家庭でも使用できるコンパクトな大きさを実現し、機械コストも軽減できるもので、複数の円筒状となるお洒落な氷が８分間隔のスピードで出来るの便利な製氷機である。
【発明を実施するための最良の形態】
【００１１】    発明の実施の形態を実施例にもとづき図面を参照して説明する。
図１〜図２で示す実施例では、本体１が中空で上蓋２を設ける任意形状の直方体となり、その内部に冷媒３を高圧圧縮する圧縮装置４と、液化瓦斯触媒５に変換するコンデンサー６を設け、製氷水槽７に着水する冷却棒８に液化瓦斯触媒５を流通し、冷却棒８が着水冷却９を行って冷却棒８の周壁１０が氷結し、その製氷完成によって電磁弁１１が作動し、コンデンサー６の熱媒１２を冷却棒８に適時流通し、冷却棒８の周壁１０が解氷温度となって、氷１３を製氷フラッパー１４に落下させ、製氷フラッパー１４が駆動し前部の製氷トレイ１５に氷１３を移送するものである。【００１２】    また、冷媒３を高圧圧縮する圧縮装置４と、液化瓦斯触媒５に変換するコンデンサー６を設けた圧縮式冷凍システムが、アンモニヤ水溶液を瓦斯又はヒーターによる入熱で行う吸収式冷凍システムでもいいものである。【００１３】    図３で示す実施例では、冷却棒８が円筒形状１６で任意数を設け、上部の流通管１７と一体となって櫛歯状１８となり、その流通管１７の一辺が平面１９を形成して冷却棒８への熱伝導を高めている。【００１４】    図４で示す実施例では、製氷水槽７と製氷フラッパー１４が連結して前後に作動し、製氷時には製氷水槽７が前部に移動し、貯水漕２０より給水されて冷却棒８が着水し、製氷完成時には後上部に移動して水切り２１を行って収納され、製氷フラッパー１４が冷却棒８の下部に移動となる。【００１５】    また、図４で示す実施例では、貯水漕２０の水の減量と、製氷トレイ１５の氷の増量を感知センサー２２による製氷稼動自動停止機能を設けている。
【図面の簡単な説明】
【００１６】
【図１】  本発明の実施例を示す斜視図である。
【図２】  本発明の実施例の構造を示す展開斜視図である。
【図３】  本発明の実施例の冷却棒と前部構造を示す正面から断面図である。
【図４】  本発明の製氷時と製氷完成時での製氷水槽と製氷フラッパーの移動を示す側面断面図である。
【符号の説明】
【００１７】      １  本体
２  上蓋
３  冷媒
４  圧縮装置
５  液化瓦斯触媒
６  コンデンサー
７  製氷水槽
８  冷却棒
９  着水冷却
１０  周壁
１１  電磁弁
１２  熱媒
１３  氷
１４  製氷フラッパー
１５  製氷トレイ
１６  円筒形状
１７  流通管
１８  櫛歯状
１９  平面
２０  貯水漕
２１  水切り
２２  感知センサー
【図１】
2005315551.tif 000003
【図２】
2005315551.tif 000004
【図３】
2005315551.tif 000005
【図４】
2005315551.tif 000006